(57)【要約】【課題】  薄板状で材料の量を削減することができると共に確実にディスク及び冊子等を保持することができるシート部材収納ケースを提供することにある。【解決手段】  シート部材収納ケース２は、縁壁部４ｂを有する基板部４と、基板部４に設けられた保持部８と、基板部４の板部４ａから突出する抜止部１０とを備えている。縁壁部４ｂは、シート部材６を支持すると共に一方向が開口して挿脱部４ｃを形成している。保持部８は、板部４ａに対向するように縁壁部４ｂから突出している。抜止部１０は、挿脱部４ｃの中央付近に設けられている。シート部材６は、それを持ち上げたり撓ませることにより抜止部１０を乗り越えて、挿脱部４ｃから挿脱される。これにより、シート部材６は、単なる衝撃や振動によって挿脱部４ｃから脱落することはなく、確実に収納保持される。【選択図】  図１
2010280411.tif 000002
【特許請求の範囲】
【請求項１】
板面の輪郭の内面にシート部材が収まり且つ前記シート部材を支持し少なくとも一方向が開口して挿脱部を形成する縁壁部を有する基板部と、
該基板部の板面に対向して前記シート部材を保持する前記縁壁部の一部に設けられた保持部と、
前記挿脱部の少なくとも中央付近に前記基板部の板面から突出して、収められた前記シート部材の抜脱を阻止する抜止部と、を備え、
前記抜止部を乗り越えさせることにより前記挿脱部から前記シート部材を挿脱することを特徴とするシート部材収納ケース。
【請求項２】
前記シート部材は、ディスク及び薄片の一方又は両方からなる請求項１に記載のシート部材収納ケース。
【請求項３】
前記基板部は、前記抜止部に隣接する位置に前記シート部材の押し上げを可能とする第１の切欠部を有する請求項２に記載のシート部材収納ケース。
【請求項４】
前記基板部は、前記保持部と対向する位置に孔を有し、該孔の周縁にテーパ面が形成されている請求項２に記載のシート部材収納ケース。
【請求項５】
前記基板部は、前記挿脱部に相反する位置に、前記シート部材の押し出しを可能とする第２の切欠部を有する請求項３に記載のシート部材収納ケース。
【請求項６】
前記基板部は、略中央に前記ディスクを収納保持するディスク収納部を有し、該ディスク収納部の外側に前記保持部が設けられている請求項２乃至５のいずれか一つに記載のシート部材収納ケース。
【請求項７】
前記保持部は、前記基板部の板面に対向するように前記縁壁部から突出する突出片と、該突出片に設けられ且つ先端が前記基板部の板面に向かって飛び出している弾性を有する舌状片と、を備える請求項６に記載のシート部材収納ケース。
【請求項８】
前記抜止部は、挿脱部の両隅部には形成されていない請求項１に記載のシート部材収納ケース。
【発明の詳細な説明】
【技術分野】
【０００１】
本発明は、光ディスク、磁気ディスク等のディスク及び説明書、歌詞カード、写真、冊子等の薄片からなるシート部材を収納する収納ケースに関するものである。
【背景技術】
【０００２】
一般に、ディスクを収納する収納ケースとしては、ディスクの中央孔に適合するボス部が設けられた本体と、この本体に開閉自在に取り付けられた蓋体とからなるものが知られている。この収納ケースでは、本体に収めたディスクを、蓋体を閉じることで、本体と蓋体により表裏面から保護するものとなっていた。しかしながら、この収納ケースの場合、本体と蓋体の両方を別々に設けなければならず、更にそれらを組み付けなければならないために、製造に手間がかかり、コストが高くなるという問題があった。また、近年ではコスト及び省資源化の観点から、可能な限り材料の量を削減することが必要となっているが、この収納ケースでは本体と蓋体の二体からなり、更に、開閉部分の強度を保つため適度な厚みも必要であり、材料の量を削減することは困難であった。
【０００３】
また、基板にディスクの外周に係合する３つの爪部を設け、その１つの爪部を操作して撓ませることでディスクを取り外すように構成した収納ケースも提案されている（例えば、特許文献１参照）。しかしながら、この収納ケースでは、歌詞カードや冊子をディスクと共に収納することができないという問題があった。また、ディスクは爪部により数点で保持されているだけであるため、衝撃でディスクが外れる危険性もあった。このため、基板や爪部の強度を高めなければならず、厚みを増して強度を高めることが必要であり、材料の量を削減することは困難であった。
【先行技術文献】
【特許文献】
【０００４】
【特許文献１】実開平６−５７８８６号公報
【発明の概要】
【発明が解決しようとする課題】
【０００５】
本発明が解決しようとする課題は、上記従来技術の問題点を解決し、薄板状で材料の量を削減することができると共に確実にディスク及び冊子等を保持することができるシート部材収納ケースを提供することにある。
【課題を解決するための手段】
【０００６】
本発明のシート部材収納ケースは、板面の輪郭の内面にシート部材が収まり且つ前記シート部材を支持し少なくとも一方向が開口して挿脱部を形成する縁壁部を有する基板部と、該基板部の板面に対向して前記シート部材を保持する前記縁壁部の一部に設けられた保持部と、前記挿脱部の中央付近に前記基板部の板面から突出して、収められた前記シート部材の抜脱を阻止する抜止部と、を備えている。このシート部材収納ケースにおいては、シート部材が前記抜止部を乗り越えるように軽く持ち上げることで、前記挿脱部から前記シート部材を挿脱するものである。また、このシート部材収納ケースにおける前記シート部材は、ディスク及び薄片の一方又は両方からなる。
【０００７】
また、このシート部材収納ケースにおける前記基板部は、前記抜止部に隣接する位置に前記シート部材の押し上げを可能とする第１の切欠部を有している。また、前記基板部は、前記保持部に対向する位置に成形時に形成される孔を有し、該孔の縁にテーパー面が形成されている。また、前記基板部は、前記挿脱部に相反する位置に、前記シート部材の押し出しを可能とする第２の切欠部も有している。
【０００８】
また、前記基板部は、略中央に前記ディスクを収納保持するディスク収納部を有し、該ディスク収納部の外側に前記保持部が設けられている。また、前記保持部は、前記基板部の板面に対向するように前記縁壁部から突出する突出片と、該突出片に設けられ且つ先端が前記基板部の板面に向かって飛び出している弾性を有する舌状片と、を備えている。
【発明の効果】
【０００９】
本発明のシート部材収納ケースでは、基板部の縁壁部でシート部材を支持し、保持部と基板部の板部との間にシート部材をしている。特に、シート部材をシート部材収納ケースに挿脱する挿脱部には、板面から突出する抜止部が設けられており、収納されたシート部材が抜脱することを防いでいる。これにより、一枚の薄板状のケースに、確実にディスク等のシート部材を収納することができる。
【００１０】
また、本発明のシート部材収納ケースは、可動する部分や撓ませる部分を設ける必要がないため、ケースにそれを変形させるような力が加わることがない。従って、必要以上に強度を高めなくてもディスク等を確実に保持することができ、可能な限り厚みを薄くして省資源化することができる。
【００１１】
また、シート部材は、挿脱部からスライドさせるように挿脱させることで収納及び取り出すことができ、ディスクだけでなく歌詞カード、説明書、写真、冊子、カタログ等の薄片もディスクと共に収めることができる。
【００１２】
また、本発明においては、基板部の抜止部に隣接する位置及び挿脱部に相反する位置に、それぞれ第１及び第２の切欠部を設けている。これにより、第１の切欠部から指を入れてディスク等のシート部材を押し上げて抜止部を乗り越えさせて取り出し易くすることができ、また、第２の切欠部内のディスク等のシート部材を水平方向に押すことで押し出すことを可能にしている。
【００１３】
また、本発明のシート部材収納ケースを成形する際に、基板部の板部で保持部に対向する位置にほぼ保持部と同形状の孔が形成される場合がある。本発明においては、この孔の縁にテーパー面を設けているので、ディスク、冊子等を基板部の板部に沿って差し込んだときに、そのディスク等が孔の縁に引っ掛かることがなく、スムーズに収納することができる。
【００１４】
また、本発明における基板部の中央にはディスク収納部を設けており、そこにディスクを収納することもできる。この場合、冊子等を挿脱部から挿入してディスクに重なるようにその前面に収納することができ、衝撃等でディスクが外れて脱落することを確実に防ぐことができる。
【００１５】
また、保持部に弾性を有する舌状片を設けているので、この舌状片の弾性によって薄いシートも確実に保持することができる。
【図面の簡単な説明】
【００１６】
【図１】本発明の実施例１に係るシート部材収納ケースの正面図である。
【図２】図１に示すシート部材収納ケースの背面図である。
【図３】図１に示すシート部材収納ケースの平面図である。
【図４】図１に示すシート部材収納ケースの底面図である。
【図５】図１に示すシート部材収納ケースの右側面図である。
【図６】図１に示すシート部材収納ケースの左側面図である。
【図７】図１に示すシート部材収納ケースの斜視図である。
【図８】図１におけるＡ部の拡大斜視図である。
【図９】図１におけるＢ−Ｂ線断面図である。
【図１０】図１に示す収納ケースにシート部材を収納する場合の斜視図である。
【図１１】図１に示す収納ケースからシート部材を取出す場合の部分斜視図である。
【図１２】図１１におけるＣ−Ｃ線断面図である。
【図１３】本発明に係るシート部材収納ケースの抜止部の変形例を示す側面図である。
【図１４】本発明に係るシート部材収納ケースの抜止部の他の変形例を示す側面図である。
【図１５】本発明の実施例２に係るシート部材収納ケースの正面図である。
【図１６】図１５に示すシート部材収納ケースの背面図である。
【図１７】図１５に示すシート部材収納ケースの平面図である。
【図１８】図１５に示すシート部材収納ケースの底面図である。
【図１９】図１５に示すシート部材収納ケースの右側面図である。
【図２０】図１５に示すシート部材収納ケースの左側面図である。
【図２１】図１５に示すシート部材収納ケースの斜視図である。
【図２２】図１５におけるＤ−Ｄ線断面図である。
【発明を実施するための形態】
【００１７】
本発明のシート部材収納ケースは、縁壁部を有する基板部と、この基板部に設けられた保持部と、基板部の板面から突出する抜止部とを備えている。縁壁部は、シート部材を支持すると共に少なくとも一方向が開口して挿脱部を形成している。また、保持部は、基板部の板面に対向するように縁壁部から突出している。更に、抜止部は、挿脱部の中央付近に設けられている。このシート部材収納ケースにおいて、シート部材は、それを持ち上げたり撓ませることにより抜止部を乗り越えて、挿脱部から挿脱される。これにより、シート部材は、単なる衝撃や振動によって挿脱部から脱落することはなく、確実に収納保持される。この結果、１枚の薄板状のケースに、ディスク及び冊子等の薄片を確実に収納することができる。また、脱着のために可動部分を設ける必要もないため、高い強度を必要とせず、厚みを薄くして材料を削減し、省資源化を図ることができる。
【実施例１】
【００１８】
以下添付図面に基づいて本発明の実施例１を説明する。図１は本発明の実施例１に係るシート部材収納ケースの正面図、図２乃至図６は図１に示すシート部材収納ケースのそれぞれ背面図、平面図、底面図、右側面図及び左側面図、図７はシート部材収納ケースの斜視図である。図１乃至図７において、本実施例におけるシート部材収納ケース２は、透明、半透明あるいは不透明なプラスチックからなるものであり、外観が１枚の薄板状をなすものである。
【００１９】
４は基板部である。本実施例における基板部４は、矩形状をなす板部４ａと、その周囲に設けられた縁壁部４ｂを有している。板部４ａは、その板面の輪郭の内側にディスク、冊子等のシート部材６が収まる大きさに設定されている。即ち、ＣＤ、ＤＶＤ等のディスク６ａの直径が１２０ｍｍであるため、これよりわずかに大きくなるように設定されている。また、縁壁部４ｂは、板部４ａの輪郭に沿って囲うと共に板面に垂直に突出する縦壁として形成されている。この縁壁部４ｂは、一方向（本実施例では図１中右方）が開口するように、板部４ａの図１中右端辺には形成されておらず、この開口部分がシート部材６を挿脱する挿脱部４ｃとなる。
【００２０】
８は挿脱部４ｃから挿入されたシート部材６を保持する保持部である。この保持部８は、正面形状が略舌状をなし、縁壁部４ｂの先端から基板部４の板部４ａに対向するように突出することで縁壁部４ｂの一部に設けられる突出片からなる。また、保持部８に対応する板部４ａの部位には保持部８と略同一形状の孔１６が設けられているが、これら保持部８及び孔１６は、収納ケースをプレス成形する際に同時に形成される。なお、本実施例における保持部８は、シート部材６の挿脱方向に対して左右の対向する縁壁部４ｂ（図１中上下の縁壁部４ｂ）にそれぞれ３つずつ設けられ、挿脱部４ｃと相反する位置にある縁壁部４ｂ（図１中左端の縁壁部４ｂ）に２つ設けられている。この保持部８は、少なくとも対向する縁壁部４ｂにそれぞれ１つずつ設けられていればシート部材６を保持することが可能であるが、シート部材６の反りや搬送時の衝撃等を考慮して複数設けられることが望ましい。
【００２１】
１０は挿脱部４ｃの中央付近に設けられた抜止部である。この抜止部１０は、図１及び図５に示すように、基板部４の板部４ａの板面から突出することにより、挿脱部４ｃの一部を塞ぐ縦壁として形成されている。本実施例における抜止部１０は、シート部材６の挿脱方向（例えば図１中左右方向）から見て挿脱部４ｃの両隅部までは達しない細長い矩形状をなす直方体からなり、シート部材６が、この抜止部１０を乗り越えることで挿脱部４ｃから挿脱可能となっている。
【００２２】
基板部４の板部４ａと保持部８との間隔は、ＣＤ、ＤＶＤ等のディスク６ａの厚みを約１．２ｍｍとした場合に、約１．２ｍｍ〜１．８ｍｍに設定されるのが望ましい。また、抜止部１０は、板部４ａからの高さが約０．５ｍｍ〜０．９ｍｍに設定され、保持部８は、シート部材６の移動やそりにより外れることがないように、縁壁部４ｂから略１０ｍｍ前後突出するように設定されるのが望ましい。
【００２３】
１２，１４は第１及び第２の切欠部である。第１の切欠部１２は、挿脱部４ｃの中央に基板部４の板部４ａの端辺から板部４ａの中心に向かって形成されている。挿脱部４ｃの中央付近には抜止部１０が設けられており、本実施例における第１の切欠部１２は抜止部１０を２つに分断するように形成されて、抜止部１０に隣接することになる。一方、第２の切欠部１４は、挿脱部４ｃに相反する位置にある板部４ａの端辺中央から挿脱部４ｃに向かって形成されている。この第１及び第２の切欠部１２，１４は、共に指を差し込む部分であるため、指の差し込みが可能な大きさで、且つ正面形状が略Ｕ形状をなすように形成されている。
【００２４】
前述したように、本実施例におけるシート部材収納ケース２の板部４ａには、収納ケース成形時に孔１６が形成される。そして、図８及び図９に示すように、この孔１６の全周縁には板部４ａの表面（図１中手前の面）から背面に向かって開口が狭まるように傾斜したテーパ面１６ａが設けられている。このテーパ面１６ａを設けた１つ目の目的は、挿脱部４ｃから挿入されたシート部材６の先端部６ｂが、孔１６の縁に引っ掛かって挿入しにくくなることを防ぐためである。換言すればシート部材６の挿入を容易にするためである。この目的のためだけであれば、挿脱部４ｃに相反する孔１６の周縁側にだけテーパ面１６ａを設けても良い。本実施例において孔１６の全周縁にテーパ面１６ａを設けた２つ目の目的は、孔１６の周囲における板部４ａと縁壁部４ｂとの接合強度を高めるためである。即ち、孔１６の全周縁にテーパ面１６ａを設けることで、テーパ面１６ａと縁壁部４ｂとの接合部１６ｂが傾斜する。そのために、孔１６の周囲では板部４ａ側と縁壁部４ｂ側とを傾斜した長い壁で接合することができ、この接合部分を垂直の短い壁で接合する場合に比べて孔１６の周囲の強度を高めることができる。
【００２５】
上記構成からなるシート部材収納ケース２において、シート部材６を収納するには、はじめに抜止部１０（図７を参照）の上にシート部材６を乗せて、板部４ａと保持部８との間にシート部材６を差し込む。次に、図１０に示したように、そのままシート部材６を押し込むと、シート部材６はその外側面が縁壁部４ｂに支持されると共に縁壁部４ｂに沿って基板部４の奥へ進んで収納される。このようにシート部材収納ケース２内に収納されたシート部材６は、板部４ａ内に収まることで保護され、縁壁部４ｂにより３方向から支持され、板部４ａと保持部８との間に挟持されて脱落しないように保持される。更に、シート部材６の後端部６ｃが、図１１及び図１２に二点鎖線で示したように、抜止部１０に突き当たることで挿脱部４ｃから抜脱することなく確実に収納される。
【００２６】
上記のようにシート部材収納ケース２内に収納されたシート部材６を取り出すには、図１１及び図１２に示したように、はじめに第１の孔１２からシート部材６の後端部６ｃを矢印ａ方向に押し上げる。これによりシート部材６全体が持ち上がるかあるいは図１１に示しように、シート部材６の後端部６ｃの中央部分が持ち上がってわずかに湾曲し、抜止部１０を乗り越えることが可能な状態になる。ここで、そのままシート部材６の後端部６ｃをつまみ上げて挿脱部４ｃから矢印ｂ方向に引き出すかあるいは第２の切欠部１４に側方から指を入れてシート部材６の先端部６ｂを押し出すことにより取り出すことができる。
【００２７】
このように、本実施例のシート部材収納ケース２においては、使用者がシート部材６を意識的に持ち上げて抜止部１０を乗り越えさせることにより、シート部材６をシート部材収納ケース２に収めたり取り出すことができる。このため、一般的な使用時における振動や衝撃でシート部材６が抜止部１０を乗り越えることはなく、確実に収納することができる。尚、このようにシート部材６を持ち上げることで挿脱可能となるため、抜止部１０の高さ（板部４ａからの突出丈）を高くすると脱落し難くなるが、挿脱もやり難くなる。また、シート部材６が湾曲させ易いものであれば、抜止部１０が高くても挿脱可能である。このため、本実施例においては、一般的なディスク及びそれに添付する冊子を挿脱することを想定して、その厚みより低く且つ衝撃等で乗り越えない高さとして、シート部材６の略半分程度の高さに抜止部１０の高さを設定している。尚、シート部材６によっては湾曲しにくかったり極めて薄いものもあるので、これに対応するため、本実施例では抜止部１０の高さを約０．５ｍｍ〜０．９ｍｍに設定するのが望ましい。また、シート部材６は、その端部の中央部分付近が湾曲させたときに最も持ち上がるため、この中央部分付近だけが抜止部１０に突き当たるようにすれば、シート部材６を大きく湾曲させなくても挿脱させることができる。このため、抜止部１０を挿脱部４ｃの中央部分付近だけに設けており、挿脱部４ｃの中央部分を除く隅部までの部分は、図１、図７及び図１１にも示したように開口した状態としている。また、抜止部１０は、シート部材６に少なくとも１ヵ所突き当たるようにすれば、シート部材６の抜脱を防ぐことができる。このため、必ずしも抜止部１０が挿脱方向から見て矩形となる形状に形成する必要はない。例えば、図１３に示すように、挿脱方向から見て挿脱部４ｃの中央付近に頂点が位置する三角形に形成し、あるいは図１４に示すように台形状に形成しても良い。
【実施例２】
【００２８】
図１５は本発明の実施例２に係るシート部材収納ケースの正面図であり、図１６乃至図２１は図１５に示すシート部材収納ケースのそれぞれ背面図、平面図、底面図、右側面図、左側面図、斜視図である。尚、図１等に示す実施例１に係るシート部材収納ケース２と同一部分に関しては同一の符号が付してある。図１５乃至図２１において、本実施例におけるシート部材収納ケース２２は、実施例１におけるシート部材収納ケース２と同様に、基板部４と、基板部４の三方の周囲を囲む縁壁部４ｂと、絶縁部４ｂから水平方向に突出する保持部８と、縁壁部４ｂが設けられていない挿脱部４ｃの中央付近に設けられた抜止部１０と、を備えている。また、基板部４の板部４ａには、第１及び第２の切欠部１２，１４と孔１６が実施例１におけるシート部材収納ケース２と同様に設けられている。なお、この実施例では第１及び第２の切欠部１２，１４は、ほぼ同一形状である。
【００２９】
一方、本実施例におけるシート部材収納ケース２２の板部４ａの中央には、ディスク収納部２４が設けられている。このディスク収納部２４は、ディスク６ａに適合する円形の凹部２４ａと、ディスク６ａの中央孔に適合する円筒状又は円柱状のボス部２４ｂとを備えている。また、凹部２４ａには、外周の２ヵ所に、指を入れ易くするため外方に突出するように設けられた略半円形状の張出凹部２４ｃが設けられている。また、ボス部２４ｂの周囲には、ディスク６ａの中央孔周囲を支持する円形に盛り上がった支持部２４ｄが設けられている。
【００３０】
また、本実施例における保持部８は、正面形状が略舌状をなし、縁壁部４ｂの先端から基板部４の板部４ａとほぼ平行に突出することで縁壁部４ｂの一部に設けられる水平方向の突出片８ａと、この突出片８ａの中央付近において一辺を残して舌状に切り起こして形成された舌状片８ｂとを備えている。本実施例における突出片８ａは、シート部材６の挿脱方向に対して左右の対向する縁壁部４ｂ（図１５中上下の縁壁部４ｂ）にそれぞれ２つずつ設けられ、挿脱部４ｃに相反する位置にある縁壁部４ｂ（図１５中左端の縁壁部４ｂ）に２つ設けられている。また、実施例１と同様に、板部４ａには各突出片８ａに対応する位置に孔１６が形成され、この孔１６の全周縁にはテーパ面１６ａが設けられている。
【００３１】
一方、舌状片８ｂは、図２１及び図２２に示すように、その先端が基板部４の板部４ａに向かって飛び出すように折曲されており、弾性を有している。この舌状片８ｂの先端８ｃは、板部４ａの板面と同一面上に位置するか又は孔１６内に向かって板部４ａよりも更に背面側に位置するように設定されている。尚、この舌状片８ｂは、全ての保持部８が備えている必要はないものであり、一部の保持部８に設けるだけで良い。また、この舌状片８ｂは、シート部材６を挿入する際にシート部材６に抗することがないように、突出片８ａとの接続部分からシート部材６が進む方向に向かって斜めに突出するように形成されている。
【００３２】
上記構成からなるディスク収納部２４には、基板部４の板部４ａに対面する方向からディスク２５を収めることになる。また、このディスク収納部２４に収めたディスク２５を取り出すときにも、基板部４の板部４ａに面する上方向へ取り出すことになる。このため、ディスク収納部２４と保持部８とが重ならないように配置することが必要であり、本実施例においては、ディスク収納部２４の外側に保持部８を設けている。これにより、基板部４の板部４ａは、シート部材６の挿脱方向に長い長方形をなすことになり、実施例１における略正方形の板部４ａよりもわずかに大きくなる。
【００３３】
前述した実施例１のシート部材収納ケース２においては、ディスク６ａ及び冊子等のシート部材６を全て挿脱部４ｃから挿脱していたが、本実施例のシート部材収納ケース２２においては、ディスク６ａをディスク収納部２４に対面方向から着脱し、冊子等のシート部材６を挿脱部４ｃから挿脱することになる。シート部材６の挿脱は実施例１の図１０乃至図１２で示したのと同様の手順で行なわれるので、詳細な説明を省略する。
【００３４】
本実施例におけるディスク収納部２４に収められたディスク６ａは、図２１に示したように、その上にシート部材６が重なることで外れて脱落することが阻止され、確実に収納されることになる。
【００３５】
また、例えば、紙片、写真等の極めて薄いシート部材６を収納する場合、収納したシート部材６が浮き上がったり湾曲して抜止部１０を乗り越え易くなり、振動等によって抜脱する可能性もある。本実施例においては、一部の保持部８に舌状片８ｂを設けているので、一枚の紙のような極めて薄いシート部材６であっても、図２２に示したように舌状片８ｂの先端８ｃが板部４ａの方向にシート部材６を押さえ付けることになる。これにより、シート部材６が浮き上がって抜止部１０を乗り越えることを防ぐことができ、極めて薄いシート部材６でも抜脱することなく確実に収納することができる。
【００３６】
尚、実施例１及び２におけるシート部材収納ケース２，２２は、そのままでもディスク６ａや冊子等のシート部材６を保護すると共に確実に収納することができるが、このシート部材収納ケース２，２２ごと薄く透明な袋等に収めることで、店頭に並べても汚れることがなく、取り扱いも更に簡便にすることができる。
【００３７】
また、シート部材６としてディスクと冊子等の薄片を収める場合、冊子や二つ折りにした紙片の中にディスクを挟んだ状態で基板部４の挿脱部４ｃに差し込むことにより、挿脱時におけるディスクの損傷を防ぐことができる。
【符号の説明】
【００３８】
２，２２  シート部材収納ケース
４    基板部
４ａ  板部
４ｂ  縁壁部
４ｃ  挿脱部
６    シート部材
８    保持部
８ａ  突出片
８ｂ  舌状片
１０  抜止部
１２  第１の切欠部
１４  第２の切欠部
１６  孔
１６ａ  テーパ面
１６ｂ  接合部
２４  ディスク収納部
２４ａ  凹部
２４ｂ  ボス部
２４ｃ  張出凹部
２４ｄ  支持部
【図１】
2010280411.tif 000003
【図２】
2010280411.tif 000004
【図３】
2010280411.tif 000005
【図４】
2010280411.tif 000006
【図５】
2010280411.tif 000007
【図６】
2010280411.tif 000008
【図７】
2010280411.tif 000009
【図８】
2010280411.tif 000010
【図９】
2010280411.tif 000011
【図１０】
2010280411.tif 000012
【図１１】
2010280411.tif 000013
【図１２】
2010280411.tif 000014
【図１３】
2010280411.tif 000015
【図１４】
2010280411.tif 000016
【図１５】
2010280411.tif 000017
【図１６】
2010280411.tif 000018
【図１７】
2010280411.tif 000019
【図１８】
2010280411.tif 000020
【図１９】
2010280411.tif 000021
【図２０】
2010280411.tif 000022
【図２１】
2010280411.tif 000023
【図２２】
2010280411.tif 000024